(57)【要約】【課題】画面表示の品質が向上する液晶ディスプレイ及びその駆動方法を提供すること。【解決手段】本発明は液晶ディスプレイの駆動方法及び液晶ディスプレイを提供する。この駆動方法によれば、一つのフレーム画面において、各行の画素が並ぶ順に順次駆動され、いずれか一行の画素が駆動される時、同一画素組の二つの画素が前後も駆動され、かつ同一画素組の二つの画素の駆動順が連続する各フレーム画面で交互に変化する。【選択図】図１
2014052627.tif 000002
【特許請求の範囲】
【請求項１】
行方向及び列方向に沿って二次元マトリックス状に並んでいる複数の画素と、行方向に沿って延びる複数対のゲートライン及び列方向に沿って延びる複数のデータラインと、前記ゲートライン及び前記データラインにそれぞれ接続されるゲート駆動回路及びデータ駆動回路と、複数の薄膜トランジスタと、を備え、各画素が画素電極を備え、行方向における隣り合う各二つの画素が画素組を構成し、同一画素組の二つの画素電極がそれぞれ薄膜トランジスタを介して同一本のデータラインに接続されるとともに、それぞれ一対ゲートライン中の異なるゲートラインに接続される液晶ディスプレイの駆動方法であって、
一つのフレーム画面において、各行の画素が並ぶ順に順次駆動され、いずれか一行の画素が駆動される時、同一画素組の二つの画素が前後に駆動され、かつ同一画素組の二つの画素の駆動順が連続する各フレーム画面にて交互に変化することを特徴とする、液晶ディスプレイの駆動方法。
【請求項２】
前記同一画素組の二つの画素電極が対応するデータラインの両側に位置することを特徴とする、請求項１に記載の液晶ディスプレイの駆動方法。
【請求項３】
連続する各フレーム画面において、各画素駆動信号の極性が交互に変化することを特徴とする、請求項１または請求項２に記載の液晶ディスプレイの駆動方法。
【請求項４】
前記ゲート駆動回路が二つあり、それぞれ各前記ゲートラインの両端に接続され、二つの前記ゲート駆動回路が一本のゲートラインに対して同期に駆動信号を印加することを特徴とする、請求項１から請求項３のいずれか１項に記載の液晶ディスプレイの駆動方法。
【請求項５】
各行における画素が一対の対応するゲートラインによって制御され、当該行の画素が該一対の対応するゲートラインの二本のゲートラインの間に設置されることを特徴とする、請求項１から請求項４のいずれか１項に記載の液晶ディスプレイの駆動方法。
【請求項６】
行方向及び列方向に沿って二次元マトリックス状に並んでいる複数の画素と、
行方向に沿って延びる複数対のゲートライン及び列方向に沿って延びる複数のデータラインと、
前記ゲートライン及び前記データラインにそれぞれ接続されるゲート駆動回路及びデータ駆動回路と、
複数の薄膜トランジスタと、を備え、
各画素が画素電極を備え、行方向における隣り合う各二つの画素が画素組を構成し、
同一画素組の二つの画素電極がそれぞれ薄膜トランジスタを介して同一本のデータラインに接続されるとともに、それぞれ一対ゲートライン中の異なるゲートラインに接続される液晶ディスプレイであって、
前記ゲート駆動回路及び前記データ駆動回路が、一つのフレーム画面において各行の画素を並ぶ順に順次駆動し、いずれか一行の画素が駆動される時、同一画素組の二つの画素が前後に駆動され、かつ同一画素組の二つの画素の駆動順が連続する各フレーム画面にて交互に変化するように構造されていることを特徴とする、液晶ディスプレイ。
【請求項７】
前記同一画素組の二つの画素電極が対応するデータラインの両側に位置することを特徴とする、請求項６に記載の液晶ディスプレイ。
【請求項８】
連続する各フレーム画面において、各画素駆動信号の極性が交互に変化することを特徴とする、請求項６または請求項７に記載の液晶ディスプレイ。
【請求項９】
前記ゲート駆動回路が二つあり、それぞれ前記ゲートラインの両端に接続され、二つの前記ゲート駆動回路が一本のゲートラインに対して同期に駆動信号を印加することを特徴とする、請求項６から請求項８のいずれか１項に記載の液晶ディスプレイ。
【請求項１０】
各行における画素が一対の対応するゲートラインによって制御され、当該行の画素が該一対の対応するゲートラインの二本のゲートラインの間に設置されることを特徴とする、請求項６から請求項９のいずれか１項に記載の液晶ディスプレイ。
【発明の詳細な説明】
【技術分野】
【０００１】
本発明は、液晶ディスプレイ及びその駆動方法に関する。
【背景技術】
【０００２】
近年、表示技術は急速に発展している。フラットパネル表示装置は、完全平面化、薄軽化、低消費電力化などの特点があり、将来の画像表示装置の発展動向に合致している。現在、主要なフラットパネル表示装置には、プラズマディスプレイパネル（Ｐｌａｓｍａ  ＤｉｓｐｌａｙＰａｎｅｌ）、液晶ディスプレイ（Ｌｉｑｕｉｄ  Ｃｒｙｓｔａｌ  Ｄｉｓｐｌａｙ、ＬＣＤ）、電界放出ディスプレイ（Ｆｉｅｌｄ  Ｅｍｉｓｓｉｏｎ  Ｄｉｓｐｌａｙ、ＦＥＤ）、有機エレクトロルミネセンス表示装置（Ｏｒｇａｎｉｃ  Ｌｉｇｈｔ−Ｅｍｉｔｔｉｎｇ  Ｄｉｏｄｅ、ＯＥＬＤ）等がある。特に、ＬＣＤは、その発展速度がもっと速く、技術が成熟で、応用範囲が広いフラットパネル表示装置である。
【発明の開示】
【発明が解決しようとする課題】
【０００３】
従来、ＬＣＤのほとんどはゲートドライバ及びソースドライバを備え、それぞれが走査信号及びデータ信号を提供することに用いられる。画面表示の際に、走査信号の制御で、一つのフレーム画面に対応する走査行をいちいち順にオンさせ、一つの走査行がオンされた場合、対応するデータ信号をこの走査行に入力し、この走査行がオフされる場合、オンされた場合入力されたデータ情報を、この走査行における全ての画素に貯蓄する。従来のデュアルゲート構成のＬＣＤ駆動方法では、各フレーム画面を表示する際、同一行画素電極に対応する一対のゲート（ｇａｔｅ）ラインの駆動順は常に変わらない。また、データラインの信号出力波形及び極性の転換形態によって、画素電極の充電が不十分になり、これによって、同一本のデータラインの両側における隣り合う画素電極の充電が不均一になり、画面に視覚上連続した垂直な輝線と暗線が生じて、画面の品質に大きく影響を及ぼす。
【課題を解決するための手段】
【０００４】
本発明は、デュアルゲート構成の液晶ディスプレイが画面表示を行う時、同一データラインに連続された同一画素電極組の二つの画素電極に対応した二つの画素の充電が均一になるようにすることで、画面表示の品質が向上する液晶ディスプレイ及びその駆動方法を提供する。
【０００５】
本発明の一実施例は、液晶ディスプレイの駆動方法を提供する。この液晶ディスプレイは、行方向及び列方向に沿って二次元マトリックス状に並んでいる複数の画素と、行方向に沿って延びる複数対のゲートライン及び列方向に沿って延びる複数のデータラインと、前記ゲートライン及び前記データラインにそれぞれ接続されるゲート駆動回路及びデータ駆動回路と、複数の薄膜トランジスタと、を備える。各画素は画素電極を備え、行方向における隣り合う各二つの画素が画素組を構成する。同一画素組の二つの画素電極は、それぞれ薄膜トランジスタを介して同一データラインに接続されるとともに、それぞれ一対ゲートライン中の異なるゲートラインに接続されている。
また、この駆動方法によれば、一つのフレーム画面において、各行の画素が並ぶ順に順次駆動され、いずれか一行の画素が駆動される時、同一画素組の二つの画素が前後に駆動され、かつ同一画素組の二つの画素の駆動順が連続する各フレーム画面にて交互に変化する。
【０００６】
また、前記同一画素組中の二つの画素電極が対応するデータラインの両側に位置することが好ましい。
【０００７】
また、連続する各フレーム画面において、各画素駆動信号の極性が交互に変化することが好ましい。
【０００８】
また、前記ゲート駆動回路が二つあり、それぞれ各前記ゲートラインの両端に接続され、二つの前記ゲート駆動回路が一つのゲートラインに対して同期に駆動信号を印加することが好ましい。
【０００９】
また、各行における画素が一対の対応するゲートラインによって制御され、当該行の画素が該一対の対応するゲートラインの二本のゲートラインの間に設置されることが好ましい。
【００１０】
また、本発明の他の実施例は、液晶ディスプレイを提供する。この液晶ディスプレイは、行方向及び列方向に沿って二次元マトリックス状に並んでいる複数の画素と、行方向に沿って延びる複数対のゲートライン及び列方向に沿って延びる複数のデータラインと、前記ゲートライン及び前記データラインにそれぞれ接続されるゲート駆動回路及びデータ駆動回路と、複数の薄膜トランジスタと、を備える。各画素は画素電極を備え、行方向における隣り合う各二つの画素が画素組を構成する。同一画素組の二つの画素電極は、それぞれ薄膜トランジスタを介して同一データラインに接続されるとともに、それぞれ一対ゲートライン中の異なるゲートラインに接続されている。
そして、前記ゲート駆動回路及び前記データ駆動回路は、一つのフレーム画面において、各行の画素が並ぶ順に順次駆動され、いずれか一行の画素が駆動される時、同一画素組の二つの画素が前後に駆動され、かつ同一画素組の二つの画素の駆動順が連続する各フレーム画面にて交互に変化するように構造される。
【００１１】
以上の技術手段によれば、本発明の実施例は、各フレーム画面を表示する際、各行における画素が並ぶ順で順次駆動され、いずれか一行の画素が駆動される時、同一画素組の二つの画素が前後に駆動され、かつ同一画素組の二つの画素の駆動順が連続する各フレーム画面にて交互に変化する。これによって、同一データラインに接続された、同一画素電極組の二つの画素電極に対応する画素が不均一に充電されることにより画面に垂直な輝線と暗線が生じる現象を有効に回避することができる。従って、本発明の実施例は、デュアルゲート構成の液晶ディスプレイが画面表示を行う時、同一データラインに接続された同一画素電極組の二つの画素電極に対応した二つの画素が均一に充電され、画面に垂直である輝線と暗線が生じる現象が解消され、表示画面の品質を向上させることができる。
【００１２】
本発明の実施例における技術手段をより明瞭に説明するため、以下実施例の図面について簡単に紹介する。なお、下記に説明する図面は本発明の実施例の一部にすぎず、本発明を限定することはないことは勿論である。
【図面の簡単な説明】
【００１３】
【図１】画面が連続して表示される時の複数行画素駆動の模式図である。
【図２】図１の左側画面の行ごとに走査された後の各画素極性の模式図である。
【図３】図１の右側画面の行ごとに走査された後の各画素極性の模式図である。
【発明を実施するための形態】
【００１４】
本発明に係る実施例の目的、技術手段及び効果をより明瞭にするために、以下で、本発明の実施例を表す図面を参照しながら、本発明の実施例を明瞭且つ十分に説明する。なお、ここで記載された実施例は、本発明の一部の実施例にすぎず、本発明の全ての実施例ではない。本発明の実施例に基づき、当業者が創造的な労働をしない前提で得られる他の実施例は全て本発明の技術範囲に含まれる。
【００１５】
本発明の実施例に係るデュアルゲート構成の液晶ディスプレイは、行方向及び列方向に沿って二次元マトリックス状に並んでいる複数の画素と、行方向に沿って延びる複数対のゲートライン及び列方向に沿って延びる複数のデータラインと、上記ゲートライン及び上記データラインにそれぞれ接続されたゲート駆動回路及びデータ駆動回路と、複数の薄膜トランジスタと、を備える。各画素は画素電極を備え、行方向において隣り合う各二つの画素が画素組を構成する。同一の画素組の二つの画素電極は、それぞれ薄膜トランジスタを介して同一データラインに接続されるとともに、それぞれ一対ゲートライン中の異なるゲートラインに接続されている。
【００１６】
従来技術における、同一データラインの両側にある同一組の画素電極が不均一に充電されることによって、表示画面に垂直である輝線及び暗線が生じる現象を解消するために、本発明の実施例は、各行の画素が並び順で順次駆動され、いずれか一行の画素が駆動される際、同一画素組の二つの画素が前後に駆動され、同一画素組の二つの画素の駆動の前後順序が連続する各フレーム画面において交互に変化する、液晶ディスプレイの駆動方法を提供する。
【００１７】
上記同一画素組の二つの画素電極は、対応するデータラインの両側に位置する。
【００１８】
説明の便宜のため、一対ゲートライン中の二本のゲートラインを、それぞれ奇数行ゲートラインと偶数行ゲートラインと称する。一実施例において、同一データラインの両側にある、同一画素電極組の二つの画素電極（即ち、同一画素組の二つの画素電極）が、それぞれ一対ゲートラインの奇数行ゲートラインと偶数行ゲートラインを接続する。第一フレーム画面を表示する時、上記奇数行ゲートラインが上記偶数行ゲートラインより先に駆動される。そして、第二フレーム画面を表示する時、上記偶数行ゲートラインが上記奇数行ゲートラインより先に駆動される。次に、第三フレーム画面を表示する時、上記奇数行ゲートラインが上記偶数行ゲートラインより先に駆動される。このように、奇数行ゲートライン及び偶数行ゲートラインの駆動順が、連続する各フレーム画面にて交互に変化することで、同一データラインの両側にある同一画素電極組の二つの画素電極に対応する二つの画素の駆動順が連続する各フレーム画面にて交互に変化し、同一画素組の二つの画素の充電程度に差異が存在することによる輝度の差異を補い、視覚上画面に生じた垂直な輝線と暗線とを解消する。
【００１９】
図１は、画面が連続して表示される時に複数行画素が駆動される模式図である。図１に示すように、同一画素組の対応するデータラインの左側にある画素を左側画素と定義し、右側にある画素を右側画素と定義する。図１の左側画面が表示される時、同一画素組の左側画素が右側画素より先に駆動される。フレーム画面の全体を観察すると、同一データラインの両側にある、複数の画素組の各画素の駆動順を配列するとＺ字状になる。次のフレーム画面（即ち、図１の右側画面）が表示される時、同一画素組の右側画素が左側画素より先に駆動され、フレーム画面の全体を観察すると、同一データラインの両側にある複数の画素組の各画素の駆動順を配列すると反Ｚ字状になる。
【００２０】
例えば、連続する各フレーム画面において、各画素駆動信号の極性の正負が交互に変化するが、各画素自身の極性は常に変化しない。そして、同一画素組の二つの画素の駆動順が連続する各フレーム画面において絶えずに交互に変化するため、各フレーム画面の行ごとの走査が完了した後、同一位置にある画素の隣り合う二つのフレーム画面における極性がちょうど反対になり、本当の意味での点反転が実現できる。
【００２１】
図２は図１の左側画面の行ごとの走査が完了した後の各画素極性を示す模式図であり、図３は図１の右側画面の行ごとの走査が完了した後の各画素極性を示す模式図である。
【００２２】
以下、図１の第一行画素中の最も左側にある画素組を例として詳しく説明する。この画素組は画素Ｒと画素Ｇとを備える。図１の左側画面を表示する際、図２に示すように、先に画素Ｒが駆動され、極性が正になり、そして画素Ｇが駆動され、極性が負になる。また、図１の右側画面を表示する際、図３に示すように、先に画素Ｇが駆動され、極性が正になり、次に画素Ｒが駆動され、極性が負になる。図２と図３を比較すると、各フレーム画面が連続して表示される時、本当の意味での点反転が実現され、表示画面の品質がさらに向上することが分かる。
【００２３】
例えば、上記ゲート駆動回路が二つあり、上記ゲートラインの両端がそれぞれ一つのゲート駆動回路に接続され、一本ゲートライン・二つの上記ゲート駆動回路に対して同期に駆動信号を印加することで、表示速度が有効に向上され、画面の遅延も緩和され、画面の品質が更に向上できる。
【００２４】
本発明の実施例は、行方向及び列方向に沿って二次元マトリックス状に並んでいる複数の画素と、行方向に沿って延びる複数対のゲートライン及び列方向に沿って延びる複数のデータラインと、上記ゲートライン及び上記データラインにそれぞれ接続されるゲート駆動回路及びデータ駆動回路と、複数の薄膜トランジスタと、を備え、各画素が画素電極を備え、行方向において隣り合う各二つの画素が画素組を構成し、同一画素組の二つの画素電極がそれぞれ薄膜トランジスタを介して同一本のデータラインに接続されるとともに、それぞれ一対ゲートライン中の異なるゲートラインに接続され、上記ゲート駆動回路及び上記データ駆動回路が、一つのフレーム画面において各行の画素を並び順に順次駆動し、いずれか一行の画素が駆動される時、同一画素組の二つの画素が前後に駆動され、同一画素組の二つの画素の駆動順が連続する各フレーム画面にて交互に変化するように構造される、液晶ディスプレイを提供する。
【００２５】
例えば、上記同一画素電極組の二つの画素電極は、対応するデータラインの両側に位置する。連続する各フレーム画面において、各画素駆動信号の極性が交互に変化する。
【００２６】
例えば、上記ゲート駆動回路は二つあり、上記ゲートラインの両端は、それぞれ一つのゲート駆動回路に接続され、一本のゲートラインに対して同期に駆動信号を印加することに用いられる。
【００２７】
例えば、各行における画素が、一対の対応するゲートラインによって制御され、当該行の画素該一対の対応するゲートラインの二本のゲートラインの間に設置される。
【００２８】
本発明の実施例に係る液晶ディスプレイが画面表示を行う際、上記の実施例に係る駆動方法によれば、同一データラインの両側にある同一画素組の二つの画素が均一に充電され、表示画面の垂直である輝線と暗線を解消でき、表示画面の品質が向上する。また、両縁ゲートラインゲート（Ｇａｔｅ）の形態（即ち、ゲートラインの両端のそれぞれが一つのゲート駆動回路と接続する）を採用することで、大きいサイズのスクリーンにおける画面の遅延現象が緩和され、表示画面の品質をさらに向上させることができる。
【００２９】
以上の技術手段によれば、本発明の実施例は、各フレーム画面を表示する際、各行における画素が並び順で順次駆動され、いずれか一行の画素が駆動される時、同一画素組の二つの画素が前後に駆動され、かつ駆動順が連続する各フレーム画面において交互に変化し、これによって、同一データラインに接続される同一画素電極組の二つの画素電極に対応する画素が不均一に充電されることによる画面に垂直な輝線と暗線が生じる現象を有効に回避することができることが分かる。従って、本発明の実施例は、デュアルゲート構成の液晶ディスプレイが画面表示を行う時、同一データラインに接続する同一画素電極組の二つの画素電極に対応する二つの画素が均一に充電され、画面に垂直である輝線と暗線が生じる現象が解消され、表示画面の品質が向上する。
【００３０】
以上は本発明の実施例のみであり、本発明の保護範囲は上記特許請求の範囲を基準としている。
【図１】
2014052627.tif 000003
【図２】
2014052627.tif 000004
【図３】
2014052627.tif 000005